(57)【要約】【課題】  熱交換媒体の流通抵抗を高めることなく、熱交換効率を格段と向上させることができる熱交換器用フィンを提供する。  【解決手段】  熱交換媒体の流通部２０内に配置され、当該流通部２０を複数の媒体流路に区画する側壁１１を有するとともに、当該側壁１１が上記熱交換媒体の流れ方向における所定間隔で順次隣り合う媒体流路側にオフセットされることにより、上記区画した各媒体流路を上記熱交換媒体の流れ方向に対して水平な直交方向にオフセットする熱交換器用フィン１０において、上記側壁１１が上記熱交換媒体の流れ方向に対して湾曲した形状でなるようにした。また、この側壁１１は、上記熱交換媒体の流れ方向に対して水平に湾曲した形状でなるようにした。【選択図】      図１
2005147572.tif 000002
【特許請求の範囲】
【請求項１】
熱交換媒体の流通部（２０）内に配置され、当該流通部（２０）を複数の媒体流路に区画するとともに、上記熱交換媒体の熱を吸収する側壁（１１）を有し、当該側壁（１１）が上記熱交換媒体の流れ方向における所定間隔で順次隣り合う媒体流路側にオフセットされることにより、上記区画した各媒体流路を上記熱交換媒体の流れ方向に対して水平な直交方向にオフセットする熱交換器用フィン（１０）において、
上記側壁（１１）が湾曲した形状でなることを特徴とする熱交換器用フィン。
【請求項２】
上記側壁（１１）が、上記熱交換媒体の流れ方向に対して水平に湾曲した形状でなることを特徴とする請求項１に記載の熱交換器用フィン。
【発明の詳細な説明】
【技術分野】
【０００１】
本発明は熱交換器用フィンに関し、例えば自動車用空気調和装置等に用いられる熱交換器に適用して好適なものである。
【背景技術】
【０００２】
従来、この種の熱交換器としては、例えば図３および図４に示すように、１つのフィン１と一対のプレート１２、１３によって１つの熱交換単体１４が形成され、この熱交換単体１４が複数積層されて熱交換器１５が構成されたものが広く知られている。
【０００３】
各熱交換単体１４の両端には、それぞれ上下方向に連通された熱交換媒体の入口１６および出口１７が形成されており、最上層の熱交換単体１４の入口１６および出口１７に、フランジ１８、１９を介して図示省略する媒体流通用パイプが取り付けられている。
【０００４】
プレート１２、１３は、上方のプレート１２の周縁部が平坦に形成されるとともに、下方のプレート１３の周縁部が上方に折曲されて皿状に形成されている。そして、これら上下のプレート１２、１３間にフィン１を挟み、上方のプレート１２の周縁部を下方のプレート１３の皿状周縁部方向に折り曲げて接着することにより、プレート１２、１３がフィン１を覆って液密的に結合され、内部に偏平な熱交換媒体流路２０が形成される。
【０００５】
この場合、フィン１は図５および図６に示すように、平板状の金属プレートに多数の突状片２を複数列で切起こして形成したものであって、各突状片２の側壁３は列設方向に臨んで左右方向に交互に偏移させられており、これによって突状片２の断面凹部５に臨んだ構造になっている。なお、フィン１は表裏同一構造をなし、表側における凹部９は裏面における突状片２の断面凹部５をなしている。
【０００６】
そして、上下一対のプレート１２、１３の間に挟み込まれたフィン１の上下両面に、冷却しようとする熱交換媒体を図５および図６中における矢印方向に流通させることにより、前記突状片２で熱交換媒体の熱を吸収し、前記フィン１に密接するプレート１２、１３を介して、その外側を流れる冷却された他の熱交換媒体と接触させて熱交換させ、かくして、前記加熱された熱交換媒体を冷却させるようになされている（例えば、特許文献１参照）。
【特許文献１】実開平１−１７０８８１号公報（第４図〜第６図および第８図）
【発明の開示】
【発明が解決しようとする課題】
【０００７】
ところで、かかる従来のフィン１においては、突状片２の側壁３が図６に示すように熱交換媒体流路２０（図５参照）における熱交換媒体の通路方向に形成されており、特にこの場合、熱交換媒体からフィン１へと熱を伝える役割を果たす前記側壁３が、前記熱交換媒体の通路方向に直線状に設けられているため、フィン１の性能向上、すなわち熱交換効率の向上を図るべく、側壁３の面積を拡大するにも限りがある。
【０００８】
前記フィン１の性能向上を実現する方策の１つとして、フィンピッチをつめる方法が容易に想到できるが、熱交換媒体が流体でなる場合、当該熱交換媒体が表面張力等によってフィン１とプレート１２、１３との接合部近傍に集まり易く、この部分における熱交換媒体の膜厚が厚くなり、蒸発効率（熱交換効率）が低下する傾向にあり、逆にフィン１の側壁３では、前記熱交換媒体の膜厚が薄くなり、熱交換媒体に対する蒸発効率（熱交換効率）が高くなる傾向にある。
【０００９】
このため、この方策では前記フィン１とプレート１２、１３との接合部近傍と、フィン１の側壁３とで熱交換媒体に対する熱交換効率が異なるばかりでなく、熱交換媒体の流通抵抗を高めることが明白であり、熱交換器１５の性能を低下させる未だ不十分な問題がある。
【００１０】
このような現象は、フィン１のフィンピッチが小さくなるほど顕著になり、熱交換媒体の偏在が熱交換効率に及ぼす影響は大きくなる。
【００１１】
そこで、本発明は上述した問題点に鑑みてなされたもので、熱交換媒体の流通抵抗を高めることなく、熱交換効率を格段と向上させることができる熱交換器用フィンを提供するものである。
【課題を解決するための手段】
【００１２】
請求項１にあっては、熱交換媒体の流通部内に配置され、当該流通部を複数の媒体流路に区画するとともに、上記熱交換媒体の熱を吸収する側壁を有し、当該側壁が上記熱交換媒体の流れ方向における所定間隔で順次隣り合う媒体流路側にオフセットされることにより、上記区画した各媒体流路を上記熱交換媒体の流れ方向に対して水平な直交方向にオフセットする熱交換器用フィンにおいて、上記側壁が上記熱交換媒体の流れ方向に対して湾曲した形状でなるようにしたことを特徴としている。
【００１３】
請求項２にあっては、請求項１の側壁が、上記熱交換媒体の流れ方向に対して水平に湾曲した形状でなるようにしたことを特徴としている。
【発明の効果】
【００１４】
請求項１によれば、側壁が湾曲した形状でなるようにしたことにより、当該側壁が湾曲した分、流通する熱交換媒体と側壁との接触面積を拡げることができるため、この熱交換媒体の熱を吸収する吸収効率を向上することができるとともに、フィンピッチをつめることがないため、熱交換媒体が表面張力等によってフィンと流通部との接合部近傍に集まるのを回避することができ、かくして、熱交換媒体の流通抵抗を高めることなく、熱交換効率を格段と向上させることができる熱交換器用フィンを実現することができる。
【００１５】
請求項２によれば、請求項１の側壁が熱交換媒体の流れ方向に対して水平に湾曲した形状でなるようにしたことにより、この側壁が熱交換媒体の流通部に対して略垂直となるため、当該垂直方向の剛性の向上と、熱交換効率の向上との両立を図ることができる。
【発明を実施するための最良の形態】
【００１６】
以下、本発明の一実施形態について図面に基づき詳述する。
【００１７】
図１および図２は、本発明による熱交換器用フィンの一実施形態を示し、図１は本実施形態による熱交換器用フィンの概略構成を拡大して示す斜視図、図２は図１の熱交換器用フィンの上面図である。
【００１８】
図５との対応部分に同一符号を付した図１において、１０は本実施形態による熱交換器用フィン（以下、これを単にフィンと称する）を示し、突状片２の側壁１１の形状が上述した従来の側壁３の形状と異なる点を除いて、この従来のフィン１とほぼ同様に構成されている。なお、本実施形態の場合、熱交換媒体として気体状の冷媒を用いるようにした場合について述べるが、本発明はこれに限ることなく、熱交換媒体としては、この他種々の媒体を広く適用することができるのは言うまでもない。
【００１９】
ここで、前記側壁１１は、図６との対応部分に同一符号を付した図２にも示すように、湾曲した形状で形成されている。
【００２０】
このように、本実施形態のフィン１０では側壁１１が湾曲した分、流通する熱交換媒体と側壁１１との接触面積を拡げることができるため、この熱交換媒体の熱を吸収する吸収効率を向上することができるとともに、フィンピッチをつめることがないため、熱交換媒体が表面張力等によってフィン１０と流通部である熱交換媒体流路２０との接合部、すなわちプレート１２、１３との接合部近傍に集まるのを回避することができる。
【００２１】
これにより、このフィン１０では、熱交換媒体の流通抵抗を高めることなく、熱交換効率を格段と向上させることができる。
【００２２】
しかも、この実施形態の場合、とりわけ側壁１１の湾曲する方向が、熱交換媒体の流れ方向に対して水平な方向となるようにしたことにより、この側壁１１が熱交換媒体流路２０に対して略垂直となるため、当該垂直方向、つまり熱交換単体１４における積層方向の剛性の向上と、フィン１０の熱交換効率の向上との両立を図ることができる。
【００２３】
なお、本発明の熱交換器用フィン１０を上述した実施形態を例に取って説明したが、本発明はこれに限ることなく、本発明の要旨を逸脱しない範囲で各種実施形態を採用することができる。
【００２４】
例えば、上述の実施形態では、図１および図２から見てわかるように、側壁１１は各々突状片２において対向するもの同士が対称となるように、すなわち、この場合、突状片２の内側に向けて湾曲している場合について述べたが、本発明はこれに限ることなく、例えば図示省略するが、側壁を前記突状片において対向するもの同士、それぞれ同一方向に湾曲するようにしてもよい。このようにした場合、側壁によって区画する媒体流路の幅を均一にすることができる利点を得ることができる。
【図面の簡単な説明】
【００２５】
【図１】本発明にかかる熱交換器用フィンの一実施形態における概略構成を示す斜視図である。
【図２】図１の熱交換器用フィンを示す上面図である。
【図３】従来の熱交換器における概略構成を分解して示す斜視図である。
【図４】図３の熱交換器における要部を示す拡大断面図である。
【図５】図３の熱交換器における熱交換器用フィンの概略構成を拡大して示す斜視図である。
【図６】図５の熱交換器用フィンを示す上面図である。
【符号の説明】
【００２６】
２  突状片
５  断面凹部
９  凹部
１０  フィン（熱交換器用フィン）
１１  側壁
１２、１３  プレート
１４  熱交換単体
１５  熱交換器
２０  熱交換媒体流路（流通部）
【図１】
2005147572.tif 000003
【図２】
2005147572.tif 000004
【図３】
2005147572.tif 000005
【図４】
2005147572.tif 000006
【図５】
2005147572.tif 000007
【図６】
2005147572.tif 000008